(57)【要約】【課題】  自賠責保険の申込書の修正を容易にすることができるとともに、自賠責保険に加入していることを証明する証明書を自賠責保険の申込みを行った際に発行する。【解決手段】  情報入出力端末装置２は、ストアコンピュータ４に自賠責保険の申込みが登録されたことを示す登録情報に対応するＰＯＳ端末装置３により発行される受領書に印字された証明書印刷情報の入力を受け付けると、申込者の申込みに関する情報をストアコンピュータ４を介して、サーバ５に送信する。サーバ５からストアコンピュータ４を介して加入手続きが終了したことを示す情報を受信すると、証明書用紙に証明書印刷のために必要な事項の印字を行い、証明書を発行する。【選択図】図１
2006301689.tif 000002
【特許請求の範囲】
【請求項１】
会計処理装置と、この会計処理装置と接続されたホストコンピュータと、前記会計処理装置及び前記ホストコンピュータと接続された情報入出力端末装置とからなり、
前記情報入出力端末装置は、
自賠責保険の申込みに関する申込情報の入力を受け付ける申込情報受付手段と、
前記申込情報受付手段で受け付けた申込情報に基づいて、前記ホストコンピュータに前記申込みが登録されたことを示す登録情報が印字された払込票を発行する払込票発行手段と、
自賠責保険に加入していることを証明する証明書を発行するための証明書用紙を収納する証明書用紙収納手段と、
前記申込情報に一対一で対応する証明書印刷情報の入力を受け付ける証明書印刷情報受付手段と、
前記証明書印刷情報受付手段で受け付けた証明書印刷情報及びその証明書印刷情報に一対一で対応する申込情報に基づいて、前記証明書用紙収納手段に収納された証明書用紙に証明書印刷のために必要な事項の印字を行い、証明書を発行する証明書発行手段とを具備し、
前記会計処理装置は、
前記払込票に印字された登録情報を読み取る読取手段と、
前記読取手段で読み取った登録情報が前記ホストコンピュータに登録されている登録情報か否かを確認する確認手段と、
前記確認手段で登録情報が登録されていることを確認すると前記申込情報受付手段で受け付けた申込情報を前記情報入出力端末装置から取得する取得手段と、
前記取得手段で取得した申込情報に基づいて、前記申し込まれた自賠責保険の保険料の精算が終了したときに前記証明書を発行するための前記証明書印刷情報が印字された受領書を発行する受領書発行手段と、
を具備することを特徴とする自賠責保険販売システム。
【請求項２】
前記会計処理装置は、
自賠責保険の種類及び保険期間に対応する画像情報を記憶する画像情報記憶手段と、
前記画像情報を表示する表示手段と
前記取得手段で取得した申込情報と対応する画像情報を、前記画像情報記憶手段に記憶される画像情報を選択し、選択した画像情報を前記表示手段に表示する画像情報表示手段とをさらに具備することを特徴とする請求項１に記載の自賠責保険販売システム。
【発明の詳細な説明】
【技術分野】
【０００１】
本発明は、コンビニエンスストア等の店舗において自動車損害賠償責任保険の販売を行うための自賠責保険販売システムに関する。
【背景技術】
【０００２】
コンビニエンスストア等の店舗において、１２５ｃｃ以下の原動機付き自転車の自動車損害賠償責任保険（以下、単に「自賠責保険」と称する。）の販売が行われている。なお、自賠責保険とは自動車事故による損害を賠償するために持ち主が強制的に加入させられる損害保険である。
【０００３】
この自賠責保険の販売は次のように行われている。自賠責保険への加入を希望する申込者は店員から予め保険会社の会社コード、保険料等を示す情報がバーコード印字されている自賠責保険の申込書を受け取った後、手書きで申込書に氏名、保険期間等の申込みに必要な事項を記入する。申込者は必要な事項の記入を終えた後、申込書を店員に手渡す。店員は、ＰＯＳ端末装置のスキャナを用いて申込書に印字されているバーコードを読み取る。この読み取られた情報に基づいて保険料がＰＯＳ端末装置で算出される。店員は、ＰＯＳ端末装置で算出された金額を申込者から受け取った後、レシートと、申込書に記載された保険期間に応じた保険標章（ステッカ）としおりを渡す。そして、店員は申込書を保険会社に送付し、保険会社から申込者の元へ自賠責保険に加入したことを示す証明書が送付されていた。
【０００４】
なお、コンビニエンスストアに設置される申込案内端末を直接操作して案内に沿って必要事項を選択、入力することにより申込書が印字発行される際に、オンライン端末は運用サーバから証明者番号の交付を受けて申込書にバーコード印字し、そして、ＰＯＳ端末で申込書のバーコードを読み取り、申込案内端末に契約を照会し、保険契約の保険証明書をレジ内に設置された印字発行手段から特殊な用紙を用いて印字する保険契約業務支援システムが知られている（例えば、特許文献１参照）。
【０００５】
また、マルチメディア店頭端末に画面に表示される指示に従って、保険の種別、個人情報、その他保険購入に必要なデータを購入者が入力し、自賠責保険の場合は、ユーザネットワークを介して接続されたユーザ端末から個人情報を予め保険販売サーバに登録しておき、保険販売装置には予約番号を入力することで、保険購入時の操作を簡単にする保険販売システムが知られている（例えば、特許文献２参照）。
【特許文献１】特開２００２−３２５８８号公報
【特許文献２】特開２００３−１７３３９６号公報
【発明の開示】
【発明が解決しようとする課題】
【０００６】
従来のコンビニエンスストア等の店舗で自賠責保険の申込みを受け付けるシステムでは、申込者は自賠責保険の申込書に手書きで必要な事項の記入を行うため、記入ミスがあった場合は修正が面倒であった。また、申込書の記入内容に変更が生じた場合は申込書を取り替える必要があり、申込書に無駄が生じていた。
【０００７】
本発明は上記事情に鑑みてなされたものであって、その目的は、自賠責保険の申込書の修正を容易にすることができるとともに、自賠責保険に加入していることを証明する証明書を自賠責保険の申込みを行った際に発行することができる自賠責保険料販売システムを提供することにある。
【課題を解決するための手段】
【０００８】
本発明は、例えばＰＯＳ端末装置である会計処理装置と、この会計処理装置と接続されたホストコンピュータと、会計処理装置及びホストコンピュータと接続された例えば大型のタッチパネルを備えたコピー機である情報入出端末装置とからなり、情報入出力端末装置は、自賠責保険の申込みに関する申込情報の入力を受け付ける申込情報受付手段と、申込情報受付手段で受け付けた申込情報に基づいて、ホストコンピュータに申込みが登録されたことを示す登録情報が印字された払込票を発行する払込票発行手段と、自賠責保険に加入していることを証明する証明書を発行するための証明書用紙を収納する証明書用紙収納手段と、申込情報に一対一で対応する証明書印刷情報の入力を受け付ける証明書印刷情報受付手段と、証明書印刷情報受付手段で受け付けた証明書印刷情報及び証明書印刷情報に一対一で対応する申込情報に基づいて、証明書用紙収納手段に収納された証明書用紙に証明書印刷のために必要な事項の印字を行い、証明書を発行する証明書発行手段とを具備し、会計処理装置は、払込票に印字された登録情報を読み取る読取手段と、読取手段で読み取った登録情報がホストコンピュータに登録されている登録情報か否かを確認する確認手段と、確認手段で登録情報が登録されていることを確認すると申込情報受付手段で受け付けた申込情報を情報入出力装置から取得する取得手段と、取得手段で取得した申込情報に基づいて、申し込まれた自賠責保険の保険料の精算が終了したときに証明書を発行するための証明書印刷情報が印字された受領書を発行する受領書発行手段とを具備する自賠責保険販売システムである。
【発明の効果】
【０００９】
本発明によると、自賠責保険の申込書の修正を容易にすることができるとともに、自賠責保険に加入していることを証明する証明書を自賠責保険の申込みを行った際に発行することができる自賠責保険料販売システムを提供できる。
【発明を実施するための最良の形態】
【００１０】
以下、本発明の一実施の形態について図面を参照して説明する。  
図１は、本実施の形態における自賠責保険販売システムの概略構成を示す図である。この自賠責保険販売システムは、コンビニエンスストア等の店舗内に構築されたＬＡＮ１に、１台の情報入出力端末装置２と、３台のＰＯＳ端末装置（会計処理装置）３と、１台のストアコンピュータ（ホストコンピュータ）４を接続してなるものである。また、ストアコンピュータ４は、自賠責保険の販売元である保険会社等に設置されるサーバ５とインターネット６を介して接続されている。なお、情報入出力端末装置２，ＰＯＳ端末装置３の接続台数は、本実施の形態のものに限定されるものではない。
【００１１】
図２は、情報入出力端末装置２の要部構成を示すブロック図である。情報入出力端末装置２は、例えば、大型のタッチパネルを備えたコピー機である。この情報入出力端末装置２は、制御部本体を構成するＣＰＵ１１に、プログラム等を格納したＲＯＭ１２、各種のデータを記憶するＲＡＭ１３、現在の日時を計時する時計部１４、ＬＡＮコントローラ１５、ＨＤＤコントローラ１６、タッチパネルコントローラ１７、プリンタコントローラ１８等をバス接続してなる制御回路を内蔵している。そして、ＬＡＮコントローラ１５にＬＡＮ１を接続し、ＨＤＤコントローラ１６にＨＤＤ（ハード・ディスク・ドライブ）１９を接続し、タッチパネルコントローラ１７にタッチパネル付ディスプレイのタッチパネルセンサ２０とディスプレイ２１とを接続し、プリンタコントローラ１８に、給紙カセットに収納されたＡ４サイズの用紙及び給紙カセット（証明書用紙収納手段）に収納された自賠責保険の証明書を発行するための証明書用紙などに必要な情報を印字するプリンタ２２を接続している。
【００１２】
ＬＡＮコントローラ１５は、ＬＡＮ１を通じて行なうデータ通信を制御する。ＨＤＤコントローラ１６は、ＨＤＤ１９に対するデータの書込み及び読出しを制御する。タッチパネルコントローラ１７は、ＣＰＵ１１からの指令によりディスプレイ２１に各種の画面を選択的に表示させるとともに、タッチパネルセンサ２０からの信号によりタッチ位置座標を検出してＣＰＵ１１に知らせる。プリンタコントローラ１８は、プリンタ２２の印字動作を制御する。
【００１３】
図３は、情報入出力端末装置２が自賠責保険の申込みの受け付け処理を行うときに、ＲＡＭ１３に形成されるテーブルＴ１の例を示す図である。このテーブルＴ１には、申込番号，申込者名，申込者住所，保険の種類，保険期間，保険料，証明書印刷情報を記憶するエリアが設けられている。申込番号のエリアには、ストアコンピュータ４で発番された自賠責保険の申込番号を示す情報が記憶される。申込者名のエリアには自賠責保険を申込んだ申込者の氏名、申込者住所のエリアにはその者の住所を示す情報が記憶される。また、保険の種類，保険期間のエリアには申込者により申込まれた保険の種類，保険期間を示す情報が記憶される。なお、証明書印刷情報のエリアには、自賠責保険の保険料が支払われたときにＰＯＳ端末装置３により発番される自賠責保険に加入していることを証明するための証明書を印字発行する際に用いられる証明書印刷番号を示す情報が記憶される。
【００１４】
図４は、保険料を算出するためのテーブルＴ２である。このテーブルＴ２は例えばＲＡＭ１３に記憶される。図４に示すように、自賠責保険の種類及びその保険期間に応じて保険料が定められている。これらの保険の種類，保険期間，保険料は、申込みを受け付けることができる自賠責保険に応じて適宜定められるものである。
【００１５】
図５はＰＯＳ端末装置３の要部構成を示すブロック図である。ＰＯＳ端末装置３は、制御部本体を構成するＣＰＵ３１に、プログラム等を格納したＲＯＭ３２、各種のデータを記憶するＲＡＭ３３、現在の日時を計時する時計部３４、Ｉ／Ｏポート３５、ＬＡＮコントローラ３６、キーボードコントローラ３７、タッチパネルコントローラ３８、表示コントローラ３９、プリンタコントローラ４０、スキャナインタフェース４１等をバス接続してなる制御回路を内蔵している。そして、Ｉ／Ｏポート３５にモードスイッチ４２とドロワ開放装置４３とを接続し、ＬＡＮコントローラ３６にＬＡＮ１を接続し、キーボードコントローラ３７にキーボード４４を接続し、タッチパネルコントローラ３８にタッチパネル付ディスプレイのタッチパネルセンサ４５とディスプレイ４６とを接続し、表示コントローラ３９に客用ディスプレイ４７を接続し、プリンタコントローラ４０にプリンタ４８を接続し、スキャナインタフェース４１にスキャナ４９を接続している。
【００１６】
ＬＡＮコントローラ３６は、ＬＡＮ１を通じて行なうデータ通信を制御する。キーボードコントローラ３７は、キーボード４４から操作されたキーに対応するキー信号を取り込みＣＰＵ３１に知らせる。タッチパネルコントローラ３８は、ＣＰＵ３１からの指令によりディスプレイ４６に各種の画面を選択的に表示させるとともに、タッチパネルセンサ４５の信号を取り込みタッチ位置座標を求めてＣＰＵ３１に知らせる。表示コントローラ３９は、表示データに対応した文字等を客用ディスプレイ４７に表示させる。プリンタコントローラ４０は、プリンタ４８によるレシート印字及びジャーナル印字を制御する。スキャナインタフェース４１は、スキャナ４９にてスキャニングされたバーコードデータを入力する。
【００１７】
図６は、保険の種類，保険期間，保険料，画像情報が関連付けられたテーブルＴ３を示す図である。このテーブルＴ３は例えばＰＯＳ端末装置３のＲＡＭ３３に記憶される。保険の種類，保険期間，保険料は、申込みを受け付けることができる自賠責保険に応じて適宜定められるものであり、図４で説明した保険料を算出するテーブルＴ２と同様な数値が記憶される。なお、自賠責保険の種類，保険期間に応じて異なる色、数字が印刷されたステッカを申込者に渡す必要があるため、画像情報のエリアには、対応するステッカのイメージ画像が画像データとして格納されている（画像情報記憶手段）。したがって、画像情報のエリアに記憶される画像データは、全て異なるステッカの画像データが記憶される。
【００１８】
図７はストアコンピュータ４の要部構成を示すブロック図である。ストアコンピュータ４は、制御部本体を構成するＣＰＵ５１に、プログラム等を格納したＲＯＭ５２、各種のデータを記憶するＲＡＭ５３、現在の日時を計時する時計部５４、ＬＡＮコントローラ５５、ＨＤＤコントローラ５６、キーボードコントローラ５７、ディスプレイコントローラ５８等をバス接続してなる制御回路を内蔵している。そして、ＬＡＮコントローラ５５にＬＡＮ１を接続し、ＨＤＤコントローラ５６にＨＤＤ６０を接続し、キーボードコントローラ５７にキーボード６１を接続し、ディスプレイコントローラ５８にディスプレイ６２を接続している。
【００１９】
ＬＡＮコントローラ５５は、ＬＡＮ１を通じて行なうデータ通信を制御する。ＨＤＤコントローラ５６は、ＨＤＤ６０に対するデータの書込み及び読出しを制御する。キーボードコントローラ５７は、キーボード６１から操作されたキーに対応するキー信号を取り込みＣＰＵ５１に知らせる。ディスプレイコントローラ５８は、表示データに対応した文字等をディスプレイ６２に表示させる。
【００２０】
図８は、自賠責保険の販売会社のサーバ５に自賠責保険の申し込みに関する申込情報を送信するために、申込情報などの情報を記憶するテーブルＴ４を示す図である。テーブルＴ４は、例えばストアコンピュータ４内のＨＤＤ６０に記憶される。テーブルＴ４には自賠責保険の申込みが行われる毎に発番される申込番号を示す情報とともに、申込番号に対応して申込者名，申込者の住所，保険の種類，保険期間，保険料を示す情報が各エリアに記憶される。また、申し込まれた自賠責保険の保険料が支払われたときに発番される証明書印刷番号を示す情報が証明書印刷番号のエリアに記憶される。
【００２１】
図９は、自賠責保険の申込みを行うときに情報入出力端末装置２のＣＰＵ１１が実行する処理の要部を示すフローチャートである。自賠責保険を申し込むための画面をタッチパネルセンサ２０に表示させための操作が申込者により行われると、ＣＰＵ１１はこの処理を開始する。
【００２２】
ＣＰＵ１１は、申込情報を受け付けるための画面をタッチパネルセンサ２０に表示する（ＳＴ１１）。この際のタッチパネルセンサ２０の表示には、申込者名、申込者住所、自賠責保険の種類と保険期間（申込情報）を入力する欄が表示されるとともに、文字を入力するためのキー、申込情報の入力の終了を示すための終了キーなどが表示される。このような画面をタッチパネルセンサ２０に表示すると、ＣＰＵ１１は自賠責保険の申込者から申込情報の入力を受け付ける（ＳＴ１２，申込情報受付手段）。申込者は、氏名，住所，自賠責保険の種類，保険期間を各キーに触れて入力する。このように入力された申込情報は、ＲＡＭ１３の所定エリアに形成された図３を参照して説明したテーブルＴ１に記憶される。そして、ＣＰＵ１１は、申込者からの入力が終了したか否かを判断する（ＳＴ１３）。この判断は、例えば申込者によりタッチパネルセンサ２０に表示した「終了」キーが入力されたか否かにより判断される。申込者からの入力が終了したと判断すると（ＳＴ１３、ＹＥＳ）、ＣＰＵ１１は申込情報を受付けたことを示す情報をストアコンピュータ４へ送信する（ＳＴ１４）。
【００２３】
なお、ストアコンピュータ４のＣＰＵ５１は、この情報を受信すると、その情報に対してユニークな申込番号を発番し、図８を参照して説明したテーブルＴ４にその申込番号に対応する申込者名，申込者住所，保険の種類，保険期間，保険料，証明書印刷番号を示す情報を格納するためのエリアを作成する。そして、ストアコンピュータ４のＣＰＵ５１は、発番した申込番号を示す情報を、申込みを受け付けたことを示す登録情報として情報入出力端末装置２へ送信する。
【００２４】
そして、ＣＰＵ１１は、登録情報をストアコンピュータ４から受信したか否かを判断する（ＳＴ１５）。登録情報を受信するまで待機状態を続け（ＳＴ１５、ＮＯ）、登録情報を受信したと判断すると（ＳＴ１５、ＹＥＳ）、ＣＰＵ１１は払込票を発行する（ＳＴ１６，払込票発行手段）。この払込票には、ステップＳＴ１２で受け付けた申込情報とともに登録情報が印字される。すなわち、払込票には、申込者名，申込者住所，保険種類，保険期間及び保険料が印字されるとともに、登録番号（登録情報）を示すバーコードが印字される。
【００２５】
図１０は、ＰＯＳ端末装置３のスキャナ４９により払込票のバーコードがスキャニングされたときにＣＰＵ３１が実行する処理の要部を示すフローチャートである。
【００２６】
ＣＰＵ３１は、スキャナ４９によりスキャニングされて入力された払込票のバーコード情報に基づいて、払込票に印字された登録情報（登録番号）を読取る（ＳＴ２１，読取手段）。このように登録情報を読取ると、ＣＰＵ３１は読取った登録情報がストアコンピュータ４に登録されている登録情報であるか否かについて、ストアコンピュータ４に問い合わせを行う（ＳＴ２２）。
【００２７】
なお、ストアコンピュータ４のＣＰＵ５１は、上記問い合わせに対して、図８を参照して説明したＨＤＤ６０に記憶したテーブルＴ４に基づいて、問い合わせのあった登録情報がテーブルＴ４に登録されているか判断し、その判断結果を示す情報を問い合わせに対する応答情報としてＰＯＳ端末装置３へ送信する。
【００２８】
そして、ＣＰＵ３１は応答情報を受信したか否かを判断する（ＳＴ２３）。応答情報を受信するまで待機状態を続け（ＳＴ２３、ＮＯ）、応答情報を受信したと判断すると（ＳＴ２３、ＹＥＳ）、ＣＰＵ３１は受信した応答情報に基づいて、スキャナ４９でスキャニングした払込票のバーコードが示す登録情報は、ストアコンピュータ４に登録されているものであったか否かを判断する（ＳＴ２４，確認手段）。
【００２９】
登録番号がストアコンピュータ４に登録されていると判断した場合は（ＳＴ２４、ＹＥＳ）、ＣＰＵ３１は情報入出力端末装置２に対して、その登録情報に対応して記憶されている申込情報を送信するように要求する指示を送信する（ＳＴ２５）。続いて、ＣＰＵ３１は、送信した指示に対して応答された申込情報を情報入出力端末装置２から受信したか否かを判断する（ＳＴ２６）。申込情報を受信したと判断すると（ＳＴ２６、ＹＥＳ，取得手段）、ＣＰＵ３１は、申込情報に含まれる申込者の申込者名，申込者住所，保険の種類，保険期間，保険料をディスプレイ４６及び客用ディスプレイ４７に表示する（ＳＴ２７）。さらに、ＣＰＵ３１は、申込情報に含まれる保険の種類及び保険期間に対応する画像データを、図６を参照して説明したテーブルＴ３から選択し（ＳＴ２８）、その選択した画像データをディスプレイ４６にポップアップ表示する（ＳＴ２９，画像情報表示手段）。
【００３０】
このように、申込情報の表示ととともに選択された画像データの表示が終了すると、ＣＰＵ３１は、保険料の精算が終了したか否かを判断する（ＳＴ３０）。なお、このとき申込者が払込票のほかに他の商品の精算も行う場合には、これらの商品についての精算も合わせて行われるようにしても良い。
【００３１】
保険料の精算が終了したと判断すると（ＳＴ３０、ＹＥＳ）、ＣＰＵ３１は、保険料が精算されたことを示すレシートを印字発行する（ＳＴ３１）。レシートを印字発行すると、ＣＰＵ３１は申込情報に対してユニークな証明書印刷情報を作成する。例えば、所定桁の番号が発番される（ＳＴ３２）。そしてＣＰＵ３１は、その作成した証明書印刷情報を情報入出力端末装置２へ送信する（ＳＴ３３）。このように、情報入出力端末装置２に送信された証明書印刷情報は、ＣＰＵ１１により、図３を参照して説明したテーブルＴ１に、当該申込情報と対応付けて証明書印刷情報のエリアに記憶される。
【００３２】
続いて、ＣＰＵ３１は受領書を発行する処理を行う（ＳＴ３４，受領書発行手段）。受領書は、例えば申込者名，申込者住所，保険の種類及び保険期間に加え、証明書印刷番号が印字される。証明書印刷番号は、情報入出力端末装置２を用いて申込者が自賠責保険に加入していることを証明する証明書を印刷するときに必要となる番号である。
【００３３】
このように受領書を発行したとき（ＳＴ３４）、又は登録されていない情報であることを示す情報を受信したと判断し（ＳＴ２４、ＮＯ）、ディスプレイ４６，４７にエラー表示を行ったときは（ＳＴ３５）、ＣＰＵ３１はこの処理を終了する。
【００３４】
次に、情報入出力端末装置２が自賠責保険に加入していることを証明する証明書を発行する処理について説明する。図１１は、証明書発行処理を行うときにＣＰＵ１１が実行する処理の要部を示すフローチャートである。証明書の発行処理を行うための画面を表示させためのタッチパネルセンサ２０の操作が申込者により行われると、この処理を開始する。
【００３５】
ＣＰＵ１１は、証明書印刷番号の入力を受け付けるための画面をタッチパネルセンサ２０に表示する（ＳＴ４１）。このときタッチパネルセンサ２０に表示される画面には、申込者から入力された証明書印刷情報を表示するエリアとともに、証明書印刷情報を入力するための数値を示す番号、終了を示す「終了」キーなどが表示される。このような画面をタッチパネルセンサ２０に表示すると、ＣＰＵ１１は申込者から証明書印刷情報の入力を受け付ける（ＳＴ４２，証明書印刷情報受付手段）。例えば、申込者は、受領書に印字されている証明書印刷番号をタッチパネルセンサ２０に表示した数値を触れることにより入力する。このように入力された証明書印刷情報は、ＲＡＭ１３の所定エリアに記憶される。
【００３６】
そして、ＣＰＵ１１は、申込者からの入力が終了したか否かを判断する（ＳＴ４３）。この判断は例えば申込者によりタッチパネルセンサ２０に表示した「終了」キーが入力されたか否かにより判断される。終了と判断するまで入力を受け付ける状態を続け（ＳＴ４３、ＮＯ）、終了と判断すると、ＣＰＵ１１は、ＲＡＭ１３の所定エリアに記憶したタッチパネルセンサ２０から入力を受け付けた証明書印刷情報が、図３を参照して説明したテーブルＴ１に登録されているか否かを判断する（ＳＴ４４）。
【００３７】
入力された証明書印刷情報がテーブルＴ１に登録されていると判断すると（ＳＴ４４、ＹＥＳ）、ＣＰＵ１１は、その証明書印刷情報に対応するＲＡＭ１３に作成された登録情報及び申込情報をストアコンピュータ４へ送信する（ＳＴ４５）。これにより、ストアコンピュータ４のＨＤＤ６０内のテーブルＴ４内の登録情報に対応付けて申込情報が記憶される。
【００３８】
続いて、ＣＰＵ１１は、送信した登録情報に対応する申込情報をサーバ５に送信し、自賠責保険の加入手続きを要求するようにストアコンピュータ４へ指示する（ＳＴ４６）。これにより、ストアコンピュータ４から申込情報がサーバ５へ送信される。サーバ５により自賠責保険の加入手続きが終了すると、終了をしたことを示す終了情報がストアコンピュータ４へ送信される。ストアコンピュータ４のＣＰＵ５１は、終了情報をサーバ５から受信するとその終了情報を直ちに情報入出力端末装置２へ送信する。
【００３９】
そして、ＣＰＵ１１は、ストアコンピュータ４から終了情報を受信したか否かを判断する（ＳＴ４７）。終了情報を受信するまで待機状態を続け（ＳＴ４７、ＮＯ）、終了情報を受信すると（ＳＴ４７、ＹＥＳ）、ＣＰＵ１１は、証明書を発行する（ＳＴ４８，証明書発行手段）。すなわち、ＣＰＵ１１は証明書用紙を収納した給紙カセットから証明書用紙をプリンタ２２へ搬送し、証明書に必要な事項の印刷を行う。
【００４０】
証明書の発行が終了したとき（ＳＴ４８）、又はタッチパネルセンサ２０から受け付けた証明書印刷情報が登録されていなかったときに（ＳＴ４４、ＮＯ）、ディスプレイ２１にエラー表示を行った後（ＳＴ４９）は、ＣＰＵ１１は処理を終了する。
【００４１】
次に、このように構成された情報入出力端末装置２、ＰＯＳ端末装置３、ストアコンピュータ４からなるシステムにおいて、自賠責保険を販売するときの作用について図１２を参照しながら説明する。図１２は自賠責保険が販売されるときのタイミングチャートである。
【００４２】
例えば２５０ｃｃのバイクの自賠責保険を申込みたい申込者は、店舗内に設置された情報入出力端末装置２のタッチパネルセンサ２０を操作して、自賠責保険の申込み画面を呼び出す。続いて、申込者は、申込者名，申込者住所，保険の種類，保険期間を、タッチパネルセンサ２０を操作して入力し、入力を終えると、「終了」に触れる。すると、情報入出力端末装置２は、自賠責保険の申込みがあったことをストアコンピュータ４に送信した後、ストアコンピュータ４から自賠責保険の申込みが登録されたことを示す登録情報を受信する。この登録情報が示す登録番号は、テーブルＴ１に入力を受け付けた申込情報と関連付けて記憶される。
【００４３】
そして、ストアコンピュータ４に登録されたことを情報入出力端末装置２が確認すると、入力された申込者名，申込者住所，保険の種類，保険期間及び保険の種類，保険期間により算出された保険料が印字された払込票を発行する。図１３は、払込票の一例を示す図である。払込票は、例えば、情報入出力端末装置２内に収納された用紙（例えば、Ａ４サイズの用紙）に、ストアコンピュータ４に登録された登録番号を示すバーコード，申込者名，申込者住所，保険の種類，保険期間及び保険料が印字されている。申込者は、この払込票の印字を視認することにより、入力した申込者名，申込者住所，保険の種類，保険期間，算出された保険料に間違いがないかを確認することができる。
【００４４】
なお、ここで、申込者が誤記等を発見した場合には、例えば次のように情報入出力端末装置２を申込者が操作することにより、修正することが可能となる。図１３に示すように、バーコードの下側には、登録番号を示す数字が印字されている。申込者は、タッチパネルセンサ２０を操作して所定の画面を呼び出し、登録番号を入力することにより、登録番号に対応する氏名，住所，保険の種類，保険期間，保険料に関するデータを呼び出す。そして、誤記があるデータを選択して、申込者はその修正を行う。そして、申込者はタッチパネルセンサ２０を操作して払込票を再度発行させる。
【００４５】
このように正しい申込情報が情報入出力端末装置２に入力できたことを確認すると、申込者は、払込票を会計所まで持っていき、キャッシャに払込票を手渡す。キャッシャが、ＰＯＳ端末装置３のスキャナ４９で払込票に印字されているバーコードをスキャニングすることにより、自賠責保険の申込みの登録番号が読取られる。このように、自賠責保険の登録番号が読み取られると、ＰＯＳ端末装置３は、スキャナ４９で読み取った登録番号がストアコンピュータ４に登録されている登録番号か否かを確認する。ここで、登録されていることが確認されると、登録番号に対応する申込者名，申込者住所，保険の種類，保険期間，保険料に関する申込情報を、情報入出力端末装置２から取得する。
【００４６】
ＰＯＳ端末装置３は、申込者名，申込者住所，保険の種類，保険期間，保険料に関する申込情報を受信すると、申込者名，申込者住所，保険の種類，保険期間，保険料をディスプレイ４６，４７に表示するとともに、保険の種類及び保険期間に対応するステッカの画像をディスプレイ４６にポップアップ表示する。そして、申込者から保険料が支払われると、キャッシャは、締め処理行う。
【００４７】
締め処理が行われると、ＰＯＳ端末装置３は、保険料の支払いに関するレシートと受領書をそれぞれ発行する。図１４はレシートの一例を示す図である。レシートには、保険料の精算が終了したことを示す情報が印字されている。図１５は、受領書の一例を示す図である。受領書には、申込者名，保険の種類，保険期間，証明書印刷番号が印字されている。証明書印刷番号は、自賠責保険に加入していることを証明する証明書を情報入出力端末装置２で発行するための番号である。なお、証明書印刷番号は、ＰＯＳ端末装置３により発番された後、情報入出力端末装置２に送信され、情報入出力端末装置２において登録番号と対応付けて登録される。なお、レシートと受領書がそれぞれ発行されるため、コンビニエンスストア内で他の商品の会計とともに、保険料の支払いを行うことも可能である。また、キャッシャはレシート及び受領書とともに、ディスプレイ４６にポップアップ表示された画像と同一のステッカと、しおりを申込者に渡す。図１６は、ステッカの一例を示す図である。保険期間が平成１８年の１２月までのステッカの例を示している。
【００４８】
申込者は、自賠責保険の保険料の支払いを済ませ受領書などを受け取った後、情報入出力端末装置２のタッチパネルセンサ２０で証明書を発行するための所定の画面を呼び出し、受領書に印字されている証明書印刷番号を入力する。すると、情報入出力端末装置２は入力された証明書印刷番号が登録されていることを確認した後、証明書印刷番号に対応する登録番号及び証明書印刷番号に関連づけて記憶されている申込者名，申込者住所，保険の種類，保険期間及び保険料を示す申込情報をストアコンピュータ４に送信する。
【００４９】
ストアコンピュータ４は、申込情報が登録番号に対応付けて記憶された後、さらに、情報入出力端末装置２からの指示に基づいて、申込情報を自賠責保険の販売会社のサーバ５に送信し、サーバ５に自賠責保険の加入手続きを行わせる。サーバ５で自賠責保険の加入手続きのための処理が終了したことを、ストアコンピュータ４を介して情報入出力端末装置２が確認すると、情報入出力端末装置２は証明書用紙に必要な事項の印字を行い、証明書を発行する。
【００５０】
したがって、申込者は保険料の支払いをＰＯＳ端末装置３で行ってキャッシャから保険の種類及び保険期間に応じたステッカなどを受け取った後、その店舗内で直ちに自賠責保険に加入したことを示す証明書を入手することができる。
【００５１】
また、キャッシャは、保険の種類及び年数によって異なる色のステッカを手渡す必要があっても、保険料が支払われるときに、保険の種類及び期間に応じた画像がＰＯＳ端末装置３のタッチパネルセンサ４５に表示できるため、加入した自賠責保険と異なるステッカを渡してしまうことを防止できる。
【００５２】
なお、本発明は、上述した実施の形態そのままに限定されるものではなく、実施段階ではその要旨を逸脱しない範囲で構成要素を変形して具体化できるものである。
【図面の簡単な説明】
【００５３】
【図１】本発明の一実施の形態における自賠責保険販売システムの概略図。
【図２】同実施の形態における情報入出力端末装置の要部構成を示す図。
【図３】同実施の形態における申込情報及び証明書印刷情報を一時的に記憶するためのテーブルを示す図。
【図４】同実施の形態における保険料を算出するためのテーブルを示す図。
【図５】同実施の形態におけるＰＯＳ端末装置の要部構成を示す図。
【図６】同実施の形態における保険料及び画像を示す情報を記憶したテーブルを示す図。
【図７】同実施の形態におけるストアコンピュータの要部構成を示す図。
【図８】同実施の形態における申込者情報及び証明書印刷情報を記憶したテーブルを示す図。
【図９】同実施の形態における自賠責保険の申込みを受付けるときの処理を示すフローチャート。
【図１０】同実施の形態における自賠責保険の保険料の支払いが行われるときの処理を示すフローチャート。
【図１１】同実施の形態における証明書印刷処理を示すフローチャート。
【図１２】同実施の形態における自賠責保険が販売されるときのタイミングチャート。
【図１３】同実施の形態における払込票の一例を示す図。
【図１４】同実施の形態におけるレシートの一例を示す図。
【図１５】同実施の形態における受領書の一例を示す図。
【図１６】同実施の形態におけるステッカの一例を示す図。
【符号の説明】
【００５４】
１…ＬＡＮ，２…情報入出力端末装置，３…ＰＯＳ端末装置，４…ストアコンピュータ，５…サーバ，６…インターネット，１１，３１，５１…ＣＰＵ，１２，３２，５２…ＲＯＭ，１３，３３，５３…ＲＡＭ，Ｔ１〜Ｔ４…テーブル
【図１】
2006301689.tif 000003
【図２】
2006301689.tif 000004
【図３】
2006301689.tif 000005
【図４】
2006301689.tif 000006
【図５】
2006301689.tif 000007
【図６】
2006301689.tif 000008
【図７】
2006301689.tif 000009
【図８】
2006301689.tif 000010
【図９】
2006301689.tif 000011
【図１０】
2006301689.tif 000012
【図１１】
2006301689.tif 000013
【図１２】
2006301689.tif 000014
【図１３】
2006301689.tif 000015
【図１４】
2006301689.tif 000016
【図１５】
2006301689.tif 000017
【図１６】
2006301689.tif 000018